(57)【要約】      （修正有）【課題】ハンギングラックのフレキシブルな仕切り構造を提供する。【解決手段】本体は長方形、或いは、正方形の複数の容置空間を有し、容置空間内に湾曲できるＺ型仕切り板を設置し、容置空間を上下配列、或いは、左右配列の小収納空間に仕切る。Ｚ型仕切り板は、一個の第一板体２１と、第一板体両辺に連接される二個の第二板体２２，２２ａと、からなり、容置空間が長方形である時、前記Ｚ型仕切り板の一第二板体の中央に折り線２２２を設置して、第一板体２１が容置空間の長辺、或いは、短辺で転換する。容置空間が正方形である時、Ｚ型仕切り板の第二板体に折り線を設置する必要がない。選択的にＬ字型、門型、方形等の仕切り板を設置し、これらの仕切り板の両板体の間は湾曲部を設置し、仕切り板の側辺は連接部で、容置空間の内側面に連接され、仕切り板は湾曲部と連接部により容置空間内で折り畳み、ハンギングラックの容置空間を小さい収納空間に仕切る。【選択図】図４
0003149128.tif 000002
【実用新案登録請求の範囲】
【請求項１】
ハンギングラックのフレキシブルな仕切り構造であって、
二つの軟性側壁、及び、前記の二軟性側壁後方に連接された軟性後壁からなり、前記軟性側壁間に複数の水平仕切り板を設置し、前記側壁、前記後壁、及び、前記水平仕切り板が複数の長方形容置空間を構成し、前記容置空間の上下方の水平仕切り板がそれぞれ第一粘着素子を設置するハンギングラック本体と、
一第一板体と、前記第一板体の両側辺とそれぞれ湾曲部により連接される二第二板体と、からなり、前記第二板体の中央は必要に応じて水平の折り線を設置し、前記の両第二板体の端辺は、それぞれ、前記第一粘着素子と固定される第二粘着素子を設置し、且つ、前記第一、第二粘着素子は相互に固定された後、前記水平仕切り板との間に連接部を形成し、前記連接部と前記湾曲部と前記折り線により、前記容置空間中で方向転換し、前記容置空間で上下配列、或いは、左右配列の複数の小収納空間を仕切るＺ字型仕切り板と、
からなることを特徴とするハンギングラックのフレキシブルな仕切り構造。
【請求項２】
更に、Ｌ字型仕切り板、門型仕切り板、及び、方形仕切り板を有し、これらの仕切り板の両板体の間は湾曲部を有し、各種形状の仕切り板は前記ハンギングラックの容置空間内に選択的に設置され、前記仕切り板の二垂直端辺を連接部として前記容置空間の側壁の内側面に連接し、前記仕切り板は前記湾曲部と前記連接部により前記容置空間内で折り畳むことができることを特徴とする請求項１に記載のハンギングラックのフレキシブルな仕切り構造。
【考案の詳細な説明】
【技術分野】
【０００１】
本考案は衣類を収納するハンギングラックに関し、特に、ハンギングラックの容置空間を若干の収納空間に仕切るフレキシブルな仕切り構造に関するものである。
【背景技術】
【０００２】
公知のハンギングラックは、その容置空間は縫製後固定され、収納する物品の形態によって変化させることはできない。この他、ハンギングラックの不使用時、軟性の布材で出来ているので、折り畳んで小体積にすることはできるが、仕切り構造に干渉され、折り畳み後に平坦にすることができない。また、あるハンギングラックは容置空間中に仕切り板で若干の小さい収納空間を仕切っている。これらの仕切り板はプラスチック、木材、金属等の硬質板材からなるので、容置空間に設置後、ハンギングラックを折り畳むことができない。ハンギングラックを折り畳む場合、仕切り板を棚の容置空間から取り出し、取り出した後の仕切り板は別に保管する必要があるので、使用上不便である。
【考案の開示】
【考案が解決しようとする課題】
【０００３】
本考案の目的は、公知の仕切り板を有するハンギングラックが、折り畳み時に、仕切り板を取り出さないと、不使用時の保管に不便である欠点を改善するハンギングラックのフレキシブルな仕切り構造を提供することにある。
【０００４】
本考案のもう一つの目的は、公知のハンギングラックの容置空間が固定形態であり、実際に放置する物品の形態によって変化させることが出来ないことを改善するハンギングラックのフレキシブルな仕切り構造を提供することにある。
【課題を解決するための手段】
【０００５】
本考案のハンギングラックのフレキシブルな仕切り構造は、ハンギングラック本体と、仕切り板と、からなる。ハンギングラック本体は、二つの軟性側壁、及び、前記の二軟性側壁後方に連接された軟性後壁からなる。軟性側壁間に複数の水平仕切り板を設置し、側壁、後壁、及び、水平仕切り板が複数の長方形容置空間を構成する。容置空間の上下方の水平仕切り板がそれぞれ第一粘着素子を設置する。仕切り板は、一第一板体と、第一板体の両側辺とそれぞれ湾曲部により連接される二第二板体と、からなる。第二板体の中央は必要に応じて水平の折り線を設置し、両第二板体の端辺は、それぞれ、第一粘着素子と固定される第二粘着素子を設置し、且つ、第一、第二粘着素子は相互に固定された後、水平仕切り板との間に連接部を形成し、連接部と湾曲部と折り線により、容置空間中で方向転換し、容置空間で上下配列、或いは、左右配列の複数の小収納空間を仕切ることができる。
【考案の効果】
【０００６】
本考案により、公知のハンギングラックが、折り畳み時に、仕切り板を取り出さないと、不使用時の保管に不便である点と、その容置空間が固定形態で、実際に放置する物品の形態によって変化させることが出来ない点を改善することができる。
【考案を実施するための最良の形態】
【０００７】
図１は、本考案の第一実施例を示す図であり、複数の容置空間を有する吊るし型収納棚本体１と複数のZ字型に似た仕切り板２からなる。本体１は軟性布でなる二側壁１１、及び、二側壁１１後方に連接された後壁１４を有し、後壁１４は軟性の布で形成され、二側壁１１の間に複数の水平仕切り板１２を縫製して固定し、これらの水平仕切り板１２、二側壁１１と後壁１４により複数の容置空間を構成する。本体１の上方に吊るし孔１０を設置し、吊るし孔１０はクローゼット内の吊るし棒、或いは、その他の適当な棒素子により穿過して、棚を吊るすためのものである。
【０００８】
仕切り板２は二種の実施例があり、それぞれ、長方形の容置空間内に設置されるものと、正方形の容置空間内に設置するものである。図２で示される仕切り２は、本体１の長方形容置空間に対し設計されたものである。仕切り板２は、一つの第一板体２１と二個の第二板体２２、２２ａを有する。第一板体２１の両側はそれぞれ、第二板体２２、２２ａの一側に連接されて、湾曲することができる湾曲部２２１を形成する。第二板体２２ａの中央は、湾曲部２２１と平行な水平折り線２２２を有する。両第二板体２２、２２aの自由端辺は、本体１の容置空間内に連接されて、連接辺２１１となる。両第二板体の自由端辺は、それぞれ、第二粘着素子２３を設置し、本体１の水平仕切り板１２上下面の第一粘着素子１３と粘着固定する（図３で示される）。仕切り２は、折り線２２２から第一板体２１の全長さが、長方形容置空間の長辺Ｌ１と等しく（図２を参照）、第一板体２１の長さは、長方形容置空間の短辺Ｌ２と等しい。両第二板体２２と２２ａの自由端辺は長方形容置空間の斜め対角に連接され、使用者は、連接部２１１と湾曲部２２１の湾曲により、仕切り板２を長方形容置空間中で方向転換し、容置空間は、更に、上下配列、或いは、左右配列の複数の小収納空間に仕切ることができる。図３のように、両第二板体２２と２２ａは、容置空間の二側壁で湾曲し、第一板体２１を水平状態にして、長方形容置空間を上下二個の小収納空間に仕切る。使用者が両第二板体２２と２２ａをそれぞれ、９０度に旋転させて、上下方の水平仕切り板に放置した後、第一板体２１は垂直状態に牽動され、折り線２２２も同時に湾曲し（図４で示される）、第一板体２１は第二板体２２ａと共に、長方形容置空間を左右配列の小型収納空間に仕切る（図５で示される）。仕切り板２の好ましい実施例は、軟性布で硬質の第一板体２１と第二板体２２を被覆して構成され、第一板体と第二板体の間は布により連接して、湾曲部２２１を形成する。両第二板体２２、２２a間は布により連接して、折り線２２２を形成してもよい。両第二板体２２、２２aの自由端辺は布により連接して、連接部２１１を形成してもよい。本考案の仕切り板２両端は粘着素子により容置空間外に連接してもよいし、一端を容置空間の角に縫製して固定し、もう一辺は粘着素子により容置空間の対角端と連接してもよい。
【０００９】
本考案のもう一つの実施例の仕切り板２ａは、正方形の容置空間内に設置される。図６で示されるように、仕切り板２ａは、一つの第一板体２１と二個の相同で、対称である第二板体２２を有し、第一板体２１の両側は、それぞれ、両第二板体２２の一側に連接されて、湾曲する湾曲部２２１を形成する。両第二板体２２の自由端辺は、本体１の正方形容置空間内に連接して、連接辺２１１となる。両第二板体２２の自由端辺は、それぞれ、第二粘着素子２３を設置し、本体１の水平仕切り板１２上下面の第一粘着素子１３と粘着固定する（図７で示される）。仕切り板２ａの第一板体２１の長さは、容置空間各辺の長さと等しく、第二板体２２の長さは正方形容置空間の各辺の長さの半分である。仕切り板２ａの両第二板体２２は共に、正方形容置空間の対角端に連接された後、連接部２１１と湾曲部２２１により、仕切り板２ａは正方形容置空間中で方向転換する。図７で示されるように、両第二板体２２が両側壁１１に翻転すると、第一板体２１が水平状態になり、方形の容置空間は上下二個の小収納空間に仕切る。両第二板体２２を上下方の水平仕切り板１２に翻転させ、第一板体２１を垂直の直立状態にして、方形の容置空間を左右二個の小収納空間に仕切ることもできる（図８で示される）。本考案の仕切り板２ａ両端は、粘着素子により棚の容置空間に連接される以外に、一端を容置空間の一角端に縫製固定し、もう一端は、粘着素子により容置空間の対角端と連接してもよい。
【００１０】
図９は、本考案のハンギングラックに使用するフレキシブルな仕切り構造を示す図で、二個の門型仕切り板３を本体の容置空間の二側壁に連接し、容置空間で上下に配列された三個の収納空間を仕切る。ハンギングラックを折り畳みたい時、図１０で示されるように、二個の湾曲部３２を湾曲後、門型仕切り板３を吊るし棚の側壁に貼接させると、吊るし棚を折り畳むことができる。
【００１１】
図１１は、本考案のハンギングラックに使用するフレキシブルな仕切り構造を示す図で、二個の門型仕切り板３の両側を連接部３１として、容置空間上下方の水平仕切り板１２に連接し、容置空間で左右に配列された収納空間を仕切る。ハンギングラックを折り畳みたい時、図１２で示されるように、二個の湾曲部３２を湾曲後、門型仕切り板３を吊るし棚の側壁に貼接させると、吊るし棚を折り畳むことができる。
【００１２】
図１３は、本考案のハンギングラックに使用する仕切り構造を示す図で、Ｌ字型仕切り板４と門型仕切り板３を容置空間内に設置する。Ｌ字型仕切り板４は容置空間の角に設置され、Ｌ字型仕切り板４の両連接部４１は、それぞれ、容置空間の両垂直側壁１１の内側に連接され、門型仕切り板３の両側は連接部３１となり、容置空間の二側壁に連接され、容置空間で、三個の収納空間を仕切る。ハンギングラックを折り畳みたい時、図１４で示されるように、Ｌ字型仕切り板３の湾曲部４２を容置空間の角方向に推動し、門型仕切り板３の二個の湾曲部は湾曲後、仕切り板を容置空間の側壁に貼接させ（図１５で示される）、吊るし棚を折り畳むことができる。
【００１３】
図１６で示されるように、本考案は、四個のＬ字型仕切り板４を容置空間の四個の角に設置し、各Ｌ字型仕切り板４の両連接部４１は、それぞれ、容置空間の両垂直側壁の内側に連接される。また、方形の仕切り板５の垂直辺をＬ字型仕切り板４の湾曲部４２に連接し、容置空間で９個の収納空間を仕切る。方形仕切り板５の各角は、相対して湾曲できる湾曲部５２である。よって、ハンギングラックを折り畳みたい時、図１７で示されるように、各Ｌ個のＬ字型仕切り板４の湾曲部４２を容置空間の方向に推動し、元は突出していた湾曲部４２が凹入する状態になり（図１７で示される）、各Ｌ字型仕切り板４を側壁１１と水平仕切り板１２に貼接させると、吊るし棚を折り畳むことができる。
【図面の簡単な説明】
【００１４】
【図１】本考案のハンギングラックの立体図である。
【図２】本考案のハンギングラックが長方形の容置空間を有し、Ｚのような形状の仕切り板を組み合わせる実施例の立体分解図である。
【図３】本考案の複数の湾曲部を有するＺ型仕切り板をハンギングラックの長方形容置空間に組み合わせ後、空間を水平方向に仕切る実施例の立体図である。
【図４】図３のＺ型仕切り板が湾曲方向変更する時の実施例の立体図である。
【図５】図４のＺ型仕切り板が湾曲方向変更後、ハンギングラックの長方形容置空間を垂直方向に仕切る実施例の立体図である。
【図６】本考案のもう一つのＺ型仕切り板を吊るし棚の方形容置空間に組み合わせる実施例の立体分解図である。
【図７】図６のＺ型仕切り板をハンギングラックの方形容置空間に組み合わせ後、空間を水平方向に仕切る実施例の立体図である。
【図８】図７のＺ型仕切り板湾曲後、ハンギングラックの方形容置空間を垂直方向に仕切る実施例の立体図である。
【図９】本考案のハンギングラックの容置空間内に二個の水平方向の門型仕切り板を設置して、三個の収納空間を仕切る実施例の平面図である。
【図１０】図９の各仕切り板が湾曲してハンギングラック側壁に貼接する動作図である。
【図１１】本考案のハンギングラックの容置空間内に二個の垂直の門型仕切り板を設置して、三個の収納空間を仕切る実施例の平面図である。
【図１２】図１１の各仕切り板が湾曲してハンギングラック側壁に貼接する動作図である。
【図１３】本考案のハンギングラックの容置空間内に一個のＬ字型仕切り板と一個の門型仕切り板を設置して、三個の収納空間を仕切る実施例の平面図である。
【図１４】図１３の各仕切り板を湾曲させる動作図である。
【図１５】図１４の仕切り板を更に湾曲させる動作図である。
【図１６】本考案のハンギングラックの容置空間内に四個のＬ字型仕切り板と一個の方形仕切り板を設置して、９個の収納空間を仕切る実施例の平面図である。
【図１７】図１６の各仕切り板を湾曲させる動作図である。
【符号の説明】
【００１５】
吊るし型収納棚本体１
仕切り板２
門型仕切り板３
Ｌ字型仕切り板４
方形の仕切り板５
吊るし孔１０
側壁１１
水平仕切り板１２
第一粘着素子１３
後壁１４
第一板体２１
連接辺２１１
第二板体２２、２２ａ
湾曲部２２１
水平折り線２２２
第二粘着素子２３
長辺Ｌ１
短辺Ｌ２
連接部３１
湾曲部３２
連接部４１
湾曲部４２
湾曲部５２
【図１】
0003149128.tif 000003
【図２】
0003149128.tif 000004
【図３】
0003149128.tif 000005
【図４】
0003149128.tif 000006
【図５】
0003149128.tif 000007
【図６】
0003149128.tif 000008
【図７】
0003149128.tif 000009
【図８】
0003149128.tif 000010
【図９】
0003149128.tif 000011
【図１０】
0003149128.tif 000012
【図１１】
0003149128.tif 000013
【図１２】
0003149128.tif 000014
【図１３】
0003149128.tif 000015
【図１４】
0003149128.tif 000016
【図１５】
0003149128.tif 000017
【図１６】
0003149128.tif 000018
【図１７】
0003149128.tif 000019